(57)【要約】【課題】本体サイズを大型化することなく、熱交換器の大型化をすることができ、暖房能力を向上することのできることを目的とする。【解決手段】第二熱交換器１４と第三熱交換器１５とをそれぞれ傾斜させて垂直方向に平行に並べて配置し、第二熱交換器１４と第三熱交換器１５との間に排気送風部１６による風路を仕切る仕切り板１８を設けたことにより、本体サイズを大型化することなく、熱交換器の大型化をすることができ、暖房能力を向上することのできる浴室換気空調装置を提供できる。【選択図】図２
2010281480.tif 000002
【特許請求の範囲】
【請求項１】
浴室の天井裏に、冷媒を圧縮するための圧縮機と、浴室内から吸込み浴室内に吹き出すための循環送風部と、循環送風部により放熱する第一熱交換器と、室内から屋外に排出する排気送風部と、排気送風部により吸熱するための第二熱交換器と第三熱交換器と前記第二熱交換器と第三熱交換器を介して室内から屋外に排出する排気風路を設けた冷凍サイクルの構成であって、第二熱交換器と第三熱交換器をそれぞれ傾斜させて垂直方向に平行に並べて配置し、前記第二熱交換器と第三熱交換器との間に前記排気送風機による風路を仕切る仕切り板を設けたことを特徴とする浴室換気空調装置。
【請求項２】
前記第二熱交換器下端に結露水を回収する回収ボックスを前記仕切り板に設けたことを特徴とする請求項１記載の浴室換気空調装置。
【請求項３】
前記第二熱交換器と第三熱交換器との間に形成される通風路の流出口の断面積と、流入口へ連通接続された風路の断面積とを同一としたことを特徴とする請求項１〜２記載の浴室換気空調装置。
【請求項４】
前記仕切り板を樹脂製にしたことを特徴とする請求項２記載の浴室換気空調装置。
【請求項５】
前記回収ボックスと前記仕切り板に親水性塗装を設けたことを特徴とする請求項２記載の浴室換気空調装置。
【請求項６】
前記回収ボックスと前記仕切り板に撥水性塗装を設けたことを特徴とする請求項２記載の浴室換気空調装置。
【請求項７】
前記排気風路部の一部を曲線状としたことを特徴とする請求項１記載の浴室換気空調装置。
【請求項８】
前記回収ボックスに傾斜を設けたことを特徴とする請求項２記載の浴室換気空調装置。
【請求項９】
前記回収ボックス下方に前記第二熱交換器と第三熱交換器の結露水を回収するドレン受けを設けたことを特徴とする請求項８記載の浴室換気空調装置。
【請求項１０】
前記ドレン受けに傾斜を設けたことを特徴とする請求項９記載の浴室換気空調装置。
【発明の詳細な説明】
【技術分野】
【０００１】
本発明は、冷凍サイクルを構成し圧縮機を搭載した浴室換気空調装置に関する。
【背景技術】
【０００２】
従来、この種の換気空調装置としては、化粧板グリル中央に位置する吸込口から吸込まれた空気を送風機によって送り出され、垂直方向に配された熱交換器によって加熱（冷却）された後、ルーバーによって風向をコントロールされながら吸込口周囲に設けられた吹出口から吹出される構成とした換気空調装置が知られている（例えば、特許文献１参照）。
【０００３】
以下、その換気空調装置について、図５および図６を参照しながら説明する。
【０００４】
図５および図６に示すように、１０１は天井埋込型の室内機、１０２は天壁である。１０３は固定ボルトであり、室内機１０１を天壁１０２に固定する。１０４は天井である。１０５は、室内機１０１の外殻であり、天井１０４と略同一平面上に開口している。１０６は化粧板グリルであり、外殻１０５の開口部に取付けられている。１０７ａ、１０７ｂは空調システムの室内側熱交換器である。１０８は送風機である。１０９ａ、１０９ｂは送風機のケーシングである。１１０は室内空気の吸込口であり、化粧板グリル１０６の中央部に設けられており、方形状をなしている。１１１ａ、１１１ｂは垂直方向に配された熱交換器１０７ａ、１０７ｂによって熱交換を行った空気の吹出し口であり、吸込口１１０の周囲に設けられている。１１２ａ、１１２ｂは吹出し口１１１ａ、１１１ｂより吹出す空気の方向をコントロールするための回転可能なルーバーを設けた構成としている。
【先行技術文献】
【特許文献】
【０００５】
【特許文献１】特開平１−１６９２４５号公報
【発明の概要】
【発明が解決しようとする課題】
【０００６】
このような従来の換気空調装置を浴室内で使用した場合、化粧板グリル中央に位置する吸込口から吸込まれた空気は送風機によって送り出され、垂直方向に配された熱交換器によって加熱（冷却）された後、ルーバーによって風向をコントロールされながら吸込口周囲に設けられた吹出口から吹出される構成となっているために、さらなる暖房能力の向上には熱交換器の大型化をする必要があり製品本体が大型化するという課題がある。
【０００７】
本発明は、このような従来の課題を解決するものであり、本体サイズを大型化することなく、熱交換器の大型化をすることができ、暖房能力を向上することのできる浴室換気空調装置を提供することを目的とする。
【課題を解決するための手段】
【０００８】
本発明の換気空調装置は、上記目的を達成するために、浴室の天井裏に冷媒を圧縮するための圧縮機と、浴室内から吸込み浴室内に吹き出すための循環送風部と、循環送風部により放熱する第一熱交換器と、室内から屋外に排出する排気送風部と、排気送風部により吸熱するための第二熱交換器と第三熱交換器と前記第二熱交換器と第三熱交換器を介して室内から屋外に排出する排気風路を設けた冷凍サイクルの構成であって、第二熱交換器と第三熱交換器をそれぞれ傾斜させて垂直方向に平行に並べて配置し、前記第二熱交換器と第三熱交換器との間に前記排気送風機による風路を仕切る仕切り板を設けたものである。
【０００９】
この手段により、製品を大型化することなく熱交換器の大型化することができる浴室換気空調機を提供できる。
【００１０】
また、他の手段は、第二熱交換器下端に結露水を回収する回収ボックスを前記仕切り板伊下端に設けたものである。
【００１１】
この手段により、第二熱交換器により吸熱の際に発生した結露水を容易に回収できる浴室換気空調機を提供できる。
【００１２】
また、他の手段は、第二熱交換器と第三熱交換器との間に形成される通風路の流出口の断面積と、流入口へ連通接続された風路の断面積とを同一としたものである。
【００１３】
この手段により第二熱交換器と第三熱交換器へ均一に風を流すことができる浴室換気空調機を提供できる。
【００１４】
また、他の手段は、仕切り板を樹脂製にしたものである。
【００１５】
この手段により、結露水の付着による錆などの腐食が発生しない浴室換気空調機を提供できる。
【００１６】
また、他の手段は、回収ボックスに親水性塗装を設けたものである。
【００１７】
この手段により、結露水が仕切り板の表面に広がり、排気空気に接触され仕切り板の表面を乾きやすくさせることができる浴室換気空調機を提供できる。
【００１８】
また、他の手段は、回収ボックスに撥水性塗装を設けたものである。
【００１９】
この手段により、結露水が水玉となって仕切り板の表面をころがりやすくなり、仕切り板の傾斜に沿って回収ボックスに早く移動させることができる浴室換気空調機を提供できる。
【００２０】
また、他の手段は、排気風路部の一部を曲線状としたものである。
【００２１】
この手段により、通風路の流入口から通過する空気をスムーズに第二熱交換器へ導くことができる浴室換気空調機を提供できる。
【００２２】
また、他の手段は、回収ボックスに傾斜を設けたことものである。
【００２３】
この手段により、回収ボックスの表面の結露水を集中させることができる浴室換気空調機を提供できる。
【００２４】
また、他の手段は、回収ボックス下方に前記第二熱交換器と第三熱交換器の結露水を回収するドレン受けを設けたものである。
【００２５】
この手段により、第二熱交換器と第三熱交換器の結露水を集中させることができる浴室換気空調機を提供できる。
【００２６】
また、他の手段は、ドレン受けに傾斜を設けたものである。
【００２７】
この手段により、ドレン受け表面の結露水を集中させることができる浴室換気空調機を提供できる。
【発明の効果】
【００２８】
本発明によれば、より多くの熱回収ができ暖房能力を向上する効果のある浴室換気空調器を提供できる。
【００２９】
また、仕切り板下端に結露水を回収する回収ボックスを形成することにより効率よく結露水を排水できる効果のある浴室換気空調器を提供できる。
【００３０】
また、仕切り板の材質が樹脂製であるために結露水の付着によるさびなどの腐食が発生しないという効果のある浴室換気空調器を提供できる。
【００３１】
また、仕切り板に親水性塗装を設けるので、結露水を早く乾燥させ、屋外へ排水することができ、カビや菌の繁殖を防止することができるという効果のある浴室換気空調器を提供できる。
【００３２】
また、仕切り板に撥水性塗装を設けるので、結露水を回収ボックスに導き、カビや菌の繁殖を防止することができるという効果のある浴室換気空調器を提供できる。
【００３３】
また、排気風路部の一部を曲線状としたので、風路抵抗が軽減されて、運転騒音の低減とファンの運転効率が向上する効果のある浴室換気空調器を提供できる。
【００３４】
また、ドレン受けを設けるので、効率よく結露水を回収できる効果のある浴室換気空調器を提供できる。
【００３５】
また、ドレン受けに傾斜を設けるので、効率よく結露水を回収できる効果のある浴室換気空調器を提供できる。
【図面の簡単な説明】
【００３６】
【図１】本発明の実施の形態１における浴室換気空調装置の居住空間への設置を示す見取り図
【図２】同浴室換気空調装置の側面構成図（（ａ）上面構成図、（ｂ）側面構成図）
【図３】本発明の実施の形態２の浴室換気空調装置の構造を示す側面構成図
【図４】本発明の実施の形態３の浴室換気空調装置の構造を示す側面構成図
【図５】従来の浴室換気空調装置の構造を示す側面構成図
【図６】同浴室換気空調装置の構造を示す底面構成図
【発明を実施するための形態】
【００３７】
本発明の請求項１に記載の浴室換気空調装置は、浴室の天井裏に冷媒を圧縮するための圧縮機と、浴室内から吸込み浴室内に吹き出すための循環送風部と、循環送風部により放熱する第一熱交換器と、室内から屋外に排出する排気送風部と、排気送風部により吸熱するための第二熱交換器と第三熱交換器と前記第二熱交換器と第三熱交換器を介して室内から屋外に排出する排気風路を設けた冷凍サイクルの構成であって、第二熱交換器と第三熱交換器をそれぞれ傾斜させて垂直方向に平行に並べて配置し、前記第二熱交換器と第三熱交換器との間に前記排気送風機による風路を仕切る仕切り板を設けたものであり、製品を大型化することなく熱交換器の大型化することができるという作用を有する。
【００３８】
また、請求項２に記載の浴室換気空調装置は、第二熱交換器下端に、第二熱交換器により吸熱の際に発生した結露水を回収する回収ボックスを前記仕切り板に設けたものであり、結露水を容易に回収できるという作用を有する。
【００３９】
また、請求項３に記載の浴室換気空調装置は、第二熱交換器と第三熱交換器との間に形成される通風路の流出口の断面積と、流入口へ連通接続された風路の断面積とを同一としたものであり、第二熱交換器と第三熱交換器へ均一に風を流すことができるという作用を有する。
【００４０】
また、請求項４に記載の浴室換気空調装置は、仕切り板を樹脂製としたものであり、結露水の付着による錆などの腐食が発生しないという作用を有する。
【００４１】
また、請求項５に記載の浴室換気空調装置は、回収ボックスと仕切り板に親水性塗装を設けたものであり、結露水が仕切り板の表面に広がり、排気空気に接触され仕切り板の表面を乾きやすくさせるという作用を有する。
【００４２】
また、請求項６に記載の浴室換気空調装置は、回収ボックスと仕切り板に撥水性塗装を設けたものであり、結露水が水玉となって仕切り板の表面をころがりやすくなり、仕切り板の傾斜に沿って回収ボックスに早く移動させるという作用を有する。
【００４３】
また、請求項７に記載の浴室換気空調装置は、排気風路部の一部を曲線状としたものであり、通風路の流入口から通過する空気をスムーズに第二熱交換器へ導くという作用を有する。
【００４４】
また、請求項８に記載の浴室換気空調装置は、回収ボックスに傾斜を設けたものであり、回収ボックスの表面の結露水を集中させる作用を有する。
【００４５】
また、請求項９に記載の浴室換気空調装置は、回収ボックス下方に前記第二熱交換器と第三熱交換器の結露水を回収するドレン受けを設けたことものであり、前記第二熱交換器と第三熱交換器の結露水を集中させる作用を有する。
【００４６】
また、請求項１０に記載の浴室換気空調装置は、ドレン受けに傾斜を設けたものであり、ドレン受け表面の結露水を集中させる作用を有する。
【００４７】
以下、本発明の実施の形態について、図１〜図４を参照しながら説明する。
【００４８】
（実施の形態１）
図１は本発明の実施の形態１における浴室換気空調装置が設置されている居住空間の見取り図である。
【００４９】
図１において、屋内の居住空間１は、リビング２、浴室３、脱衣室４あるいはトイレ５などに区画されており、浴室３の天井裏には、浴室換気空調装置の本体部分６が設置されている。この本体部分６には、脱衣室４の天井に開口した排気口としての第一排気口７と本体部分６を連通する第一排気ダクト８及びトイレ５の天井に開口した第二排気口９と本体部分６とを連通する第二排気ダクト１０が接続されている。また本体部分６には本体部分６と屋外を連通する第三排気ダクト１１が接続されている。
【００５０】
また、図２に示すように、本体部分６には、冷媒を圧縮するための圧縮機１２と、浴室３内から吸込み浴室３内に吹き出すための循環送風部１７と、循環送風部１７により放熱する第一熱交換器１３と、浴室３内または浴室３外から屋外に排出する排気送風部１６と、排気送風部１６により吸熱するための第二熱交換器１４と第三熱交換器１５と前記第二熱交換器１４と第三熱交換器１５を介して室内から屋外に排出する排気風路を設けた冷凍サイクルとした構成である。第二熱交換器１４と第三熱交換器１５はそれぞれ傾斜させて垂直方向に平行に並べて配置し、前記第二熱交換器１４と第三熱交換器１５との間に前記排気送風部１６による風路を仕切る仕切り板１８を配し、前記第二熱交換器１４下端には仕切り板１８と連通した結露水回収ボックス１９と第三熱交換器１５下端には結露水ドレン受け２０を設けている。
【００５１】
また、排気送風部１６により形成される風路において、本体吸込み口を有した本体ユニット下面に、フロントパネル２１を設置した構成である。
【００５２】
上記構成により、機器を運転すると排気送風部１６により、フロントパネル２１から浴室３内空気が吸引され、第二熱交換器１４と第三熱交換器１５を通過して吸熱されたのち、屋外へ排出される。また循環送風部１７により、フロントパネル２１から浴室３内空気が吸引され、第一熱交換器１３を通過して放熱されたのちパネル吹き出し口より暖房空気として吹き出す。
【００５３】
このように第二熱交換器１４と第三熱交換器１５はそれぞれ傾斜させて垂直方向に平行に並べて配置し、前記第二熱交換器１４と第三熱交換器１５との間に前記排気送風部１６による風路を仕切る仕切り板１８を配することにより、製品を大型化することなく熱交換器の大型化することができる。
【００５４】
また、仕切り板１８下端に第二熱交換器１４より吸熱の際に発生した結露水を回収する結露水回収ボックス１９を形成することにより結露水を回収できる。
【００５５】
また、仕切り板１８を樹脂製とすることにより、第二熱交換器１４より吸熱の際に発生した結露水の付着による錆などの腐食が発生しなくなる。
【００５６】
また、結露水回収ボックス１９と仕切り板１８に親水性塗装を設けることにより、第二熱交換器１４より吸熱の際に発生した結露水が仕切り板１８の表面に広がり、排気空気に接触され仕切り板１８の表面を乾きやすくさせ、カビや菌の繁殖を防止することができる。
【００５７】
また、結露水回収ボックス１９と仕切り板１８に撥水性塗装を設けることにより、第二熱交換器１４より吸熱の際に発生した結露水が水玉となって仕切り板１８の表面をころがりやすくなり、仕切り板１８の傾斜に沿って結露水回収ボックス１９に早く移動させることができる。
【００５８】
また、排気風路部の一部を曲線状２２とすることにより、通風路の流入口から通過する空気をスムーズに第二熱交換器１４へ導き、風路抵抗が軽減されて、運転騒音の低減とファンの運転効率が向上する。
【００５９】
また、結露水回収ボックス１９下方に前記第二熱交換器１４と第三熱交換器１５の結露水を回収するドレン受け２０を設けたことものであり、前記第二熱交換器１４と第三熱交換器１５の結露水を集中させカビや菌が繁殖する前にドレンポンプ２３より屋外へ排水することができるので、カビや菌の繁殖を防止することができることとなる。
【００６０】
また、ドレン受け２０に傾斜を設けたものであり、ドレン受け２０表面の結露水を集中させカビや菌が繁殖する前にドレンポンプ２３より屋外へ排水することができるので、カビや菌の繁殖を防止することができることとなる。
【００６１】
（実施の形態２）
図３に示すように、結露水回収ボックス１９に傾斜を設けた構成とする。
【００６２】
上記構成により、結露水回収ボックス１９の表面の結露水を集中させることができるので、カビや菌の繁殖を防止することができることとなる。
【００６３】
（実施の形態３）
図４に示すように、ドレン受け２０に傾斜を設けた構成とする。
【００６４】
上記構成により、ドレン受け２０の表面の結露水を集中させるために、カビや菌が繁殖する前にドレンポンプ２３より屋外へ排水することができるので、カビや菌の繁殖を防止することができることとなる。
【産業上の利用可能性】
【００６５】
本発明は、天井裏等に設置する大型で重量のある空調装置等にも広く適用できる。
【符号の説明】
【００６６】
１    居住空間
２    リビング
３    浴室
４    脱衣室
５    トイレ
６    本体部分
７    第一排気口
８    第一排気ダクト
９    第二排気口
１０  第二排気ダクト
１１  第三排気ダクト
１２  圧縮機
１３  第一熱交換器
１４  第二熱交換器
１５  第三熱交換器
１６  排気送風部
１７  循環送風部
１８  仕切り板
１９  結露水回収ボックス
２０  結露水ドレン受け
２１  フロントパネル
２２  曲線状
２３  ドレンポンプ
【図１】
2010281480.tif 000003
【図２】
2010281480.tif 000004
【図３】
2010281480.tif 000005
【図４】
2010281480.tif 000006
【図５】
2010281480.tif 000007
【図６】
2010281480.tif 000008